【手続補正書】
【提出日】平成20年6月23日(2008.6.23)
【手続補正１】
【補正対象書類名】明細書
【補正対象項目名】特許請求の範囲
【補正方法】変更
【補正の内容】
【特許請求の範囲】
【請求項１】  分子中に少なくとも１つの１級アミノ基を有し、かつ水に不溶性のポリオキシアルキレン化合物を、有機カルボン酸又はその塩で水に分散又は可溶化させた懸濁液又は水溶液を必須成分として含有する水系潤滑油。
【請求項２】  分子中に少なくとも１つの１級アミノ基を有し、かつ水に不溶性のポリオキシアルキレン化合物に対する、有機カルボン酸又はその塩の割合が、ポリオキシアルキレン化合物のアミノ基に対して、０．５〜２当量であることを特徴とする、請求項１に記載の水系潤滑油。
【請求項３】  分子中に少なくとも１つの１級アミノ基を有し、かつ水に不溶性のポリオキシアルキレン化合物と、有機カルボン酸又はその塩との重量の合計が、水を除く全成分の重量の合計に対して、２０〜１００重量％であることを特徴とする、請求項１又は２の何れか１項に記載の水系潤滑油。
【請求項４】  前記分子中に少なくとも１つの１級アミノ基を有し、かつ水に不溶性のポリオキシアルキレン化合物が、下記の一般式（１）
【化１】
2003064391.tif 000001
（式中、Ｒ1はモノオール又はポリオールから水酸基を除いた残基を表わし、Ｒ2はアルキレン基を表わし、ＡＯはオキシアルキレン基を表わし、ａは１以上の数を表わし、ｂはＲ1の水酸基の数と同一の数を表す。）
で表されることを特徴とする、請求項１〜３の何れか１項に記載の水系潤滑油。
【請求項５】  有機カルボン酸がヒドロキシ脂肪酸であることを特徴とする、請求項１〜４の何れか１項に記載の水系潤滑油。
【請求項６】  分子中に少なくとも１つの１級アミノ基を有し、かつ水に不溶性のポリオキシアルキレン化合物を、有機カルボン酸又はその塩で水に分散又は可溶化させた懸濁液又は水溶液を必須成分として含有する請求項１〜５の何れか１項に記載の水系作動油。
【請求項７】  分子中に少なくとも１つの１級アミノ基を有し、かつ水に不溶性のポリオキシアルキレン化合物を、有機カルボン酸又はその塩で水に分散又は可溶化させた懸濁液又は水溶液を必須成分として含有する請求項１〜５の何れか１項に記載の水系金属加工油。
【請求項８】  分子中に少なくとも１つの１級アミノ基を有し、かつ水に不溶性のポリオキシアルキレン化合物を、有機カルボン酸又はその塩で水に分散又は可溶化させた懸濁液又は水溶液を必須成分として含有する請求項１〜５の何れか１項に記載の水系ラップ剤。
【手続補正２】
【補正対象書類名】明細書
【補正対象項目名】００１１
【補正方法】変更
【補正の内容】
【００１１】
尚、ここで「水に不溶性」とは、室温（２０℃）の水に対して溶解度が２重量％以下であるものを言う。より好ましくは、室温（２０℃）の水に対して溶解度が１重量％以下である。
【手続補正３】
【補正対象書類名】明細書
【補正対象項目名】００２６
【補正方法】変更
【補正の内容】
【００２６】
又、本発明のポリオキシアルキレン化合物は、その分子中のオキシエチレン基含量が低いものほど、又は高分子量になるにしたがって、水に分散又は溶解しにくくなるが、この場合、有機カルボン酸としてヒドロキシカルボン酸を使用することによってポリオキシアルキレン化合物の水に対する分散性又は溶解性を向上させることができるため好ましく、炭素数１０〜２２のヒロドキシ脂肪酸が更に好ましく、リシノール酸又は１２−ヒドロキシステアリン酸が最も好ましい。
また、有機カルボン酸は、その一部又は全部がアルカリ金属又はアンモニウムとの塩となっているものを用いても良い。有機カルボン酸の塩を用いた場合は、本発明のポリオキシアルキレン化合物が容易に分散又は可溶化される場合がある。
【手続補正４】
【補正対象書類名】明細書
【補正対象項目名】００２９
【補正方法】変更
【補正の内容】
【００２９】
本発明の水系潤滑油において、分子中に少なくとも１つの１級アミノ基を有し、水に不溶性のポリオキシアルキレン化合物の含有量は、水系潤滑油としては通常０．１〜６０重量％であり、好ましくは１〜５０重量％であり、また、分子中に少なくとも１つの１級アミノ基を有し、かつ水に不溶性のポリオキシアルキレン化合物と、有機カルボン酸又はその塩との重量の合計が、水を除く全成分の重量の合計に対して、２０〜１００重量％、好ましくは３０〜９０重量％である。
具体的には、例えば、水系作動油では通常５〜６０重量％であり、好ましくは１５〜５０重量％であり、水系金属加工油では０．１〜５０重量％であり、好ましくは１〜１０重量％である。なお、この含有量は、いわゆる原液状態の含有量であり、使用目的に応じて、原液のまま使用することができ、又、原液を水で２〜２００倍程度に希釈して使用することも可能である。有機カルボン酸は、分子中に少なくとも１つの１級アミノ基を有し、水に不溶性のポリオキシアルキレン化合物を分散又は可溶化させるのに十分な量を適宜添加すれば良いが、概ね、有機カルボン酸は、本発明のポリオキシアルキレン化合物のアミノ基に対して、０．５〜２当量、好ましくは０．８〜１．５当量配合することが好ましい。
【手続補正５】
【補正対象書類名】明細書
【補正対象項目名】００３０
【補正方法】変更
【補正の内容】
【００３０】
本発明の水系潤滑油は、分子中に少なくとも１つの１級アミノ基を有し、水に不溶性のポリオキシアルキレン化合物を、有機カルボン酸で水に分散又は可溶化させたことを特徴としている。本発明の水系潤滑油は、高い潤滑性を示すが、これは、１級アミノ基及びオキシアルキレン基を有するといった、特定の構造からなるポリエーテル化合物を使用したことにあると推察される。また、本発明の水系潤滑油は、水に不溶性のポリオキシアルキレン化合物を、有機カルボン酸で水に分散又は可溶化されているために、容易に廃水中のポリオキシアルキレン化合物が凝集して沈降するため、凝集沈殿法等の簡便な方法により有機物を効果的に除去することが可能であり、優れた廃水処理性を発揮する。
【手続補正６】
【補正対象書類名】明細書
【補正対象項目名】００３１
【補正方法】変更
【補正の内容】
【００３１】
本発明の水系潤滑剤の廃液処理方法としては、凝集剤を添加する凝集沈澱法が最も一般的な方法として挙げられる。凝集剤としては、例えば、硫酸アルミニウム、ポリ塩化アルミニウム、硫酸第一鉄、硫酸第二鉄、塩酸第一鉄、塩酸第二鉄、アルミン酸ナトリウム、アンモニウム明ばん、カリ明ばん、酸価マグネシウム、消石灰等が挙げられる。
また、廃液に硫酸等を添加して有機カルボン酸を遊離させることにより分離する方法;廃液に塩化ナトリウム、硫酸ナトリウム等を多量に添加して、塩析現象を利用して分離する方法；廃液を加熱し、いわゆる曇点現象を利用して分離する方法等も、廃水処理方法として有用である。なお、これらの方法で濃厚な廃液を処理した場合には、本発明の分子内に少なくとも一つのアミノ基を有し、かつ水に不溶性のポリオキシアルキレン化合物を分離回収できる場合がある。分離回収したポリオキシアルキレン化合物は、必要に応じて精製し、リサイクル使用してもよい。
【手続補正７】
【補正対象書類名】明細書
【補正対象項目名】００３２
【補正方法】変更
【補正の内容】
【００３２】
本発明の水系潤滑油は、分子中に少なくとも１つの１級アミノ基を有し、水に不溶性のポリオキシアルキレン化合物が有機カルボン酸により可溶化され、外観が半透明または透明である、いわゆるソリューションタイプでも良いし、乳化若しくは分散された、外観が不透明なエマルジョンタイプでも良い。このうち、外観が半透明または透明である、いわゆるソリューションタイプは、水系潤滑剤の使用中の劣化の程度やコンタミの混入の有無等の管理が容易であることから好ましい。
【手続補正８】
【補正対象書類名】明細書
【補正対象項目名】００３４
【補正方法】変更
【補正の内容】
【００３４】
油性剤としては、例えば、ラウリルアルコール、ミリスチルアルコール、パルミチルアルコール、ステアリルアルコール、オレイルアルコール等のアルコール；ラウリルアミド、ミリスチルアミド、パルミチルアミド、ステアリルアミド、オレイルアミド等のアミドおよびそのエチレンオキサイド付加物等が挙げられる。なお、これらの化合物のなかには、乳化性能、可溶化性能を有するものもある。
【手続補正９】
【補正対象書類名】明細書
【補正対象項目名】００４６
【補正方法】変更
【補正の内容】
【００４６】
(ii)一般水系潤滑剤としての評価：
ＰＥＡ１〜７及びＰＥＡ８については、これらが水に不溶性であるため、有機カルボン酸を加えて水に溶解して、表３に示す組成の本発明の実施例の水系潤滑剤を調製した。ＰＥ１〜６及びＰＥＡ９については、これらが水溶性であるため、水性の透明な溶液であるが、ＰＥＡ１〜７及びＰＥＡ８を用いた本発明の実施例と同一の条件で比較するために，同量の有機カルボン酸（カプリン酸）を添加し、このカプリン酸が溶解しないため更にトリエタノールアミンを加えて、表３に示す組成の比較例の水系潤滑剤を調製した。
これらの水系潤滑剤について、以下の方法で潤滑性及び廃水処理性を評価した。これらの測定結果を表３に示す。
【手続補正１０】
【補正対象書類名】明細書
【補正対象項目名】００５０
【補正方法】変更
【補正の内容】
【００５０】
(iii)水系作動油としての評価：
ＰＥＡ６、７及びＰＥ２、３、ＰＥＡ９を用いて表４に示す配合組成の本発明品及び比較品の種々の水系作動油組成物を調製した。これらの水系作動油について、以下の試験条件及び評価方法にてスラッジの付着と摩耗量を求め、(i)と同様にしてＣＯＤを測定し、水系作動油としての評価を行なった。これらの結果を表４に示す。
試験条件
試験機  ：ベーンポンプ（ベッカーズ社製、Ｖ−１０４Ｃ）
回転数：１，２００ｒｐｍ
吐出圧力：１４０ｋｇ／ｃｍ2
ポンプ入口温度：５０℃
運転時間：１，０００時間
評価方法
スラッジの付着：試験後のベーン及びカムリングに付着したスラッジを下記の基準に                    て判定した。
○：スラッジの付着がない、又はほとんどない。
□：スラッジがやや付着している。
×：スラッジが多い。
摩耗量：ベーン及びカムリングの試験前後の重量を測定し、その減少量の合計を摩耗量        とした。
【手続補正１１】
【補正対象書類名】明細書
【補正対象項目名】００５８
【補正方法】変更
【補正の内容】
【００５８】
＜研磨試験＞
各ラップ剤について、それぞれ直径１０２ｍｍのシリコンウェーハ約２００枚の研磨加工を行ない、研磨後のシリコンウェーハについて、擦り傷、割れ、ウエハ表面の微小なクラックの発生率（％）を求めた。